【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
薬物注入システムであって、該薬物注入システムは、
第１の注入ポンプと、
第２の注入ポンプと、
入力デバイスと、
該第１の注入ポンプと関連付けられたプロセッサと
を備え、
該入力デバイスおよびプロセッサは、オペレータが、該第１および第２の注入ポンプによって患者に送達されるべき複数の薬物についての１つの事前にプログラムされた組み合わせを特定する選択を行うことを許容するように構成され、該第１の注入ポンプは、該組み合わせのどの１つ以上の薬物が該第２の注入ポンプによって圧送されるべきかを決定し、該入力デバイスおよびプロセッサは、該オペレータが、該患者の（ｉ）識別、（ｉｉ）体重、および／または（ｉｉｉ）身体表面積（「ｂｓａ」）を入力することを許容するようにさらに構成され、該複数の薬物のうちの少なくとも１つは、該患者の入力された体重および／またはｂｓａに比例して送達される、薬物注入システム。
【請求項２】
前記薬物の各々は、前記患者の入力された体重および／またはｂｓａに基づいて送達される、請求項１に記載の薬物注入システム。
【請求項３】
前記薬物の組み合わせは、前記複数の薬物が送達されるシーケンスを含む、請求項１または２のいずれかに記載の薬物注入システム。
【請求項４】
速度、用量、および濃度のうちの少なくとも１つが、前記薬物のうちの少なくとも１つに対して特定される、請求項１〜３のいずれかに記載の薬物注入システム。
【請求項５】
前記用量は、前記患者の入力された体重および／またはｂｓａに基づいている、請求項４に記載の薬物注入システム。
【請求項６】
前記速度は、前記特定された用量を達成するように特定される、請求項４に記載の薬物注入システム。
【請求項７】
前記濃度は、事前に決定される、請求項４に記載の薬物注入システム。
【請求項８】
前記複数の薬物は、（ｉ）抗生物質、（ｉｉ）麻酔薬、（ｉｉｉ）抗凝固剤、および（ｉｖ）高血圧を管理するための薬物から成る群から選択される種類のものである、請求項１〜７のいずれかに記載の薬物注入システム。
【請求項９】
前記注入ポンプのうちの少なくとも１つは、多チャネルポンプであり、前記複数の薬物は、該多チャネルポンプの複数のチャネルを介して送達される、請求項１〜８のいずれかに記載の薬物注入システム。
【請求項１０】
前記入力デバイスおよび前記プロセッサのうちの少なくとも１つは、前記第１の注入ポンプと統合される、請求項１〜９のいずれかに記載の薬物注入システム。
【請求項１１】
前記入力デバイスおよび前記プロセッサのうちの少なくとも１つは、前記第１の注入ポンプと連絡している遠隔コンピュータに位置する、請求項１〜１０のいずれかに記載の薬物注入システム。
【請求項１２】
前記選択は、選択のライブラリから行われ、各選択は、薬物の異なる組み合わせと関連付けられる、請求項１〜１１のいずれかに記載の薬物注入システム。
【請求項１３】
前記選択のライブラリを前記オペレータに表示するディスプレイデバイスを含む、請求項１〜１２のいずれかに記載の薬物注入システム。
【請求項１４】
（ｉ）前記オペレータに前記薬物の組み合わせを表示するディスプレイデバイスと、（ｉｉ）前記患者への送達前に、該表示された薬物の組み合わせが正しいことを確認することを該オペレータに要求する確認機能とを含む、請求項１〜１３のいずれかに記載の薬物注入システム。
【請求項１５】
前記第１の注入ポンプまたは前記第２の注入ポンプによる動作に対する薬物が、前記薬物の選択された組み合わせのうちの１つである場合を検証する機構を含む、請求項１〜１４のいずれかに記載の薬物注入システム。
【請求項１６】
薬物注入システムであって、該薬物注入システムは、
第１の注入ポンプと、
第２の注入ポンプと、
入力デバイスと、
該第１の注入ポンプと関連付けられたプロセッサと
を備え、
該入力デバイスおよび該プロセッサは、オペレータが、該第１および第２の注入ポンプを使用して、患者に送達されるべき複数の薬物についての１つの組み合わせを特定する選択をすることを許容にするように構成され、該第１の注入ポンプは、該組み合わせのどの１つ以上の薬物が該第２の注入ポンプによって圧送されるべきかを決定する、薬物注入システム。
【請求項１７】
前記第１の注入ポンプは、マスタ注入ポンプであり、前記第２の注入ポンプは、デリゲート注入ポンプであり、前記プロセッサは、前記複数の薬物の数が、該マスタ注入ポンプの薬物注入チャネルの数よりも多い場合、該マスタ注入ポンプと該デリゲート注入ポンプとの間で該複数の薬物の送達を分割するようにさらに構成されている、請求項１６に記載の薬物注入システム。
【請求項１８】
前記プロセッサは、（ｉ）前記第１の注入ポンプの複数のチャネルの各々を前記組み合わせの複数の薬物に割り当てることと、（ｉｉ）該組み合わせの１つ以上の薬物が該第１の注入ポンプによって圧送されることができない場合に、前記第２の注入ポンプを利用することとを行うように構成されている、請求項１６または１７のいずれかに記載の薬物注入システム。
【請求項１９】
前記プロセッサは、（ｉ）前記複数の薬物の送達のシーケンス、および（ｉｉ）該複数の薬物の各々の種類のうちの少なくとも１つに従って、前記組み合わせの異なる薬物を前記第１の注入ポンプまたは前記第２の注入ポンプに指定するように構成されている、請求項１６〜１８のいずれかに記載の薬物注入システム。
【請求項２０】
薬物注入システムであって、該薬物注入システムは、
第１の注入ポンプと、
第２の注入ポンプと、
入力デバイスと、
該第１の注入ポンプと関連付けられたプロセッサと
を備え、
該入力デバイスおよび該プロセッサは、オペレータが、患者に送達されるべき複数の薬物についての１つの事前にプログラムされた組み合わせを特定する選択を行うことを許容するように構成され、該プロセッサは、該第１の注入ポンプの複数のチャネルの各々を該組み合わせの複数の薬物に割り当てることと、該組み合わせの１つ以上の薬物が該第１の注入ポンプによって圧送されることができない場合に、該第２の注入ポンプを利用することとを行うようにさらに構成され、該入力デバイスおよびプロセッサは、該オペレータが、該患者の（ｉ）識別、（ｉｉ）体重、および／または（ｉｉｉ）身体表面積（「ｂｓａ」）を入力することを許容するようにさらに構成され、該複数の薬物のうちの少なくとも１つは、該患者の入力された体重および／またはｂｓａに基づいて送達される、薬物注入システム。
【請求項２１】
薬物注入システムであって、該薬物注入システムは、
第１の注入ポンプと、
第２の注入ポンプと、
入力デバイスと、
該第１の注入ポンプと関連付けられたプロセッサと
を備え、
該入力デバイスおよび該プロセッサは、オペレータが、患者に送達されるべき複数の薬物についての１つの事前にプログラムされた組み合わせを特定する選択を行うことを許容するように構成され、該プロセッサは、（ｉ）該複数の薬物の送達のシーケンス、および（ｉｉ）該複数の薬物の各々の種類のうちの少なくとも１つに従って、該組み合わせの異なる１つの薬物または複数の薬物を該第１の注入ポンプまたは該第２の注入ポンプに指定するようにさらに構成され、該入力デバイスおよびプロセッサは、該オペレータが、該患者の（ａ）識別、（ｂ）体重、および／または（ｃ）身体表面積（「ｂｓａ」）を入力することを許容するようにさらに構成され、該複数の薬物のうちの少なくとも１つは、該患者の入力された体重および／またはｂｓａに基づいて送達される、薬物注入システム。
【請求項２２】
薬物注入システムであって、該薬物注入システムは、
少なくとも１つの薬物注入チャネルを含むマスタ注入ポンプと、
該マスタ注入ポンプと連絡しているデリゲート注入ポンプと、
入力デバイスと、
該マスタ注入ポンプと関連付けられたプロセッサと
を備え、
該入力デバイスおよび該プロセッサは、オペレータが、患者に送達されるべき複数の薬物についての１つの事前にプログラムされた組み合わせを特定する選択を行うことを許容するように構成され、該プロセッサは、該複数の薬物の数が、該マスタ注入ポンプの薬物注入チャネルの数よりも多い場合、該マスタ注入ポンプと該デリゲート注入ポンプとの間で該複数の薬物の送達を分割するようにさらに構成され、該入力デバイスおよびプロセッサは、該オペレータが、該患者の（ｉ）識別、（ｉｉ）体重、および／または（ｉｉｉ）身体表面積（「ｂｓａ」）を入力することを許容するようにさらに構成され、該複数の薬物のうちの少なくとも１つは、該患者の入力された体重および／またはｂｓａに基づいて送達される、薬物注入システム。